(57)【特許請求の範囲】
【請求項１】
ネットワークに接続された録画端末に対し当該ネットワークを介して、放送番組の一覧を表す番組ガイド情報の供給を要求する供給要求信号を送信する送信手段と、
上記ネットワークを介して上記供給要求信号に応じて上記録画端末から供給される上記番組ガイド情報を受信する受信手段と、
上記番組ガイド情報を表示すると共に、上記表示された番組ガイド情報から一又は複数の放送番組を指定させるカーソルを表示する表示手段と、
ユーザの操作に応じて上記カーソルを移動及び指定させる操作手段と、
を有し、
上記表示手段は、
上記番組ガイド情報として、一週間分の日付の情報と、当該日付の情報から選択された一の日付における複数のチャンネルに対応する複数の番組情報とを同時に表示すると共に、上記カーソルによって指定された放送番組及び上記日付を他の放送番組及び他の日付とは相違する表示形態で表示し、上記カーソルによって選択された録画対象番組を録画可能な複数の録画装置についての情報を表示する
携帯端末装置。
【請求項２】
上記表示手段は、
上記カーソルによって指定された放送番組及び上記日付を他の放送番組及び他の日付とは相違する色又は明るさで表示する
請求項１に記載の携帯端末装置。
【請求項３】
上記送信手段は、
上記操作手段に対するユーザの操作に応じて、指定された上記日付における上記放送番組を、上記複数の録画装置から指定された録画装置に録画するよう、上記録画端末に対して録画設定要求信号を送信する
請求項２に記載の携帯端末装置。
【請求項４】
上記受信手段は、
上記録画設定要求信号に応じて実行された録画設定を有効にするか否かを確認する確認信号を受信し、
上記表示手段は、
ユーザに対して上記録画設定の有効性を確認し、
上記送信手段は、
上記ユーザの操作に応じたメッセージを上記録画端末に送信する
請求項３に記載の携帯端末装置。
【請求項５】
ネットワークに接続された録画端末に対し当該ネットワークを介して、放送番組の一覧を表す番組ガイド情報の供給を要求する供給要求信号を送信する送信ステップと、
上記ネットワークを介して上記供給要求信号に応じて上記録画端末から供給される上記番組ガイド情報を受信する受信ステップと、
上記番組ガイド情報を表示すると共に、操作手段に対するユーザの操作に応じて、上記表示された番組ガイド情報から一又は複数の放送番組を指定させるカーソルを表示する表示ステップと
を有し、
上記表示ステップでは、
上記番組ガイド情報として、一週間分の日付の情報と、当該日付の情報から選択された一の日付における複数のチャンネルに対応する複数の番組情報とを同時に表示すると共に、上記カーソルによって指定された放送番組及び上記日付を他の放送番組及び他の日付とは相違する表示形態で表示し、上記カーソルによって選択された録画対象番組を録画可能な複数の録画装置についての情報を表示する
表示方法。
【発明の詳細な説明】
【技術分野】
【０００１】
本発明は携帯端末装置及び表示方法に関し、例えば表示部を有する携帯端末装置に適用して好適なものである。
【背景技術】
【０００２】
従来、例えば通信衛星を介して種々の番組を配信する衛星放送システムが実現されており、ユーザはかかる衛星放送システムによって配信されるディジタル化されたテレビジョン信号等をＩＲＤ(Integrated Receiver Decoder) と呼ばれるディジタル放送受信装置を用いて受信するようになされている。
【０００３】
このディジタル放送受信装置は、通信衛星を介して配信される複数チャンネルのディジタル放送の中からユーザの操作によっていずれかのチャンネル（番組）を選択するようになされている。また、ユーザによってペイパービュー番組（番組ごとに課金される）が視聴された場合は、ディジタル放送受信装置に内蔵されているモデムによって、ペイパービュー番組（番組ごとに課金される）の視聴履歴が上位の課金サーバにアップロードされる。
【発明の開示】
【発明が解決しようとする課題】
【０００４】
ところで、かかる衛星放送システムのディジタル放送受信装置（ＩＲＤ）においては、通信衛星を介して配信される複数チャンネルのディジタル放送に加えて、ＥＰＧ(Electronic Program Guide)と呼ばれる電子番組ガイド情報を受信データから抽出し、これをモニタに表示し、１週間分位先の衛星放送の番組予定をユーザに提供するようになされている。
【０００５】
ユーザは、このＥＰＧによって表示された番組の中から所望の番組を簡単に探すことができる他、現在放送中の番組を表示させて選局したり、数日先の番組をディジタルＶＴＲ等の記録装置へ録画予約をしたりすることができる。録画予約が行われると、ユーザによって予約された番組が開始されると共に自動的にディジタルＶＴＲ等の記録装置へ予約された番組の録画が行われる。
【０００６】
かかる録画予約を行う場合、ユーザはディジタル放送受信装置を直接操作し、ＥＰＧ画面において録画予約をする必要がある。しかしながら、例えばユーザが外出した場合には、ディジタル放送受信装置を直接操作することができない。
【０００７】
本発明は以上の点を考慮してなされたもので、ユーザが外出先から遠隔制御を行うことができる携帯端末装置及び表示方法を提案しようとするものである。
【課題を解決するための手段】
【０００８】
かかる課題を解決するため本発明においては、ネットワークに接続された録画端末に対し当該ネットワークを介して、放送番組の一覧を表す番組ガイド情報の供給を要求する供給要求信号を送信する送信手段と、ネットワークを介して供給要求信号に応じて録画端末から供給される番組ガイド情報を受信する受信手段と、番組ガイド情報を表示すると共に、表示された番組ガイド情報から一又は複数の放送番組を指定させるカーソルを表示する表示手段と、ユーザの操作に応じてカーソルを移動及び指定させる操作手段と、を有し、表示手段は、番組ガイド情報として、一週間分の日付の情報と、当該日付の情報から選択された一の日付における複数のチャンネルに対応する複数の番組情報とを同時に表示すると共に、カーソルによって指定された放送番組及び日付を他の放送番組及び他の日付とは相違する表示形態で表示し、上記カーソルによって選択された録画対象番組を録画可能な複数の録画装置についての情報を表示するようにした。
【０００９】
これにより本発明では、所定の回線を介して入力された制御信号に基づいて録画端末の遠隔制御を容易に行うことができる。
【００１０】
また本発明においては、ネットワークに接続された録画端末に対し当該ネットワークを介して、放送番組の一覧を表す番組ガイド情報の供給を要求する供給要求信号を送信する送信ステップと、ネットワークを介して供給要求信号に応じて録画端末から供給される番組ガイド情報を受信する受信ステップと、番組ガイド情報を表示すると共に、操作手段に対するユーザの操作に応じて、表示された番組ガイド情報から一又は複数の放送番組を指定させるカーソルを表示する表示ステップとを有し、表示ステップでは、番組ガイド情報として、一週間分の日付の情報と、当該日付の情報から選択された一の日付における複数のチャンネルに対応する複数の番組情報とを同時に表示すると共に、カーソルによって指定された放送番組及び日付を他の放送番組及び他の日付とは相違する表示形態で表示し、上記カーソルによって選択された録画対象番組を録画可能な複数の録画装置についての情報を表示するようにした。
【００１１】
これにより本発明では、所定の回線を介して入力された制御信号に基づいて録画端末の遠隔制御を容易に行うことができる。
【発明の効果】
【００１２】
上述のように本発明によれば、所定の回線を介して入力された制御信号に基づいて録画端末の遠隔制御を容易に行うことができ、かくしてユーザが外出先から録画端末の遠隔制御を行い得る携帯端末及び表示方法を実現できる。
【発明を実施するための最良の形態】
【００１３】
以下図面について、本発明の一実施の形態を詳述する。
【００１４】
図１において１は全体としてディジタル放送受信システムを示し、通信衛星によって中継されたディジタル放送波をパラボラアンテナ３に受ける。ディジタル放送受信装置（ＩＲＤ）２は、パラボラアンテナ３のＬＮＢ(Low Noise Block downconverter) ３Ａにより出力されたＩＦ信号を、フロントエンド２０に入力する。フロントエンド２０は、受信するＩＦ信号の周波数を選択し、直交復調を行うことによりＱＰＳＫ復調処理を施すと共に、エラー訂正符号を用いたエラー訂正処理を施す。
【００１５】
ＣＰＵ(Central Processing Unit) 、ＲＯＭ(Read Only Memory)及びＲＡＭ(Random Access Memory)からなるＩＣカード３３には、暗号を解読するために必要なキーが、解読プログラムと共に格納されている。通信衛星を介して配信される放送データ（データストリーム）は暗号化されているため、この暗号を解読するためにはキーと解読処理が必要となる。そこで、カードリーダインタフェイス３２を介してＩＣカード３３からこのキーが読み出され、デマルチプレクサ２４に供給される。デマルチプレクサ２４は、このキーを利用して暗号化された放送データを解読すると共に、当該放送データ（データストリーム）に多重化されているチャンネルごとのデータを分離する。分離されたデータのうちディジタルビデオ信号ＤＶ１はＭＰＥＧ(Motion Picture Experts Group)ビデオデコーダ２５に供給され、またディジタルオーディオ信号ＤＡ１はＭＰＥＧオーディオデコーダ２６に供給される。
【００１６】
ＭＰＥＧビデオデコーダ２５は、入力されたディジタルビデオ信号ＤＶ１をＤＲＡＭ(DynamicＲＡＭ) 構成のメモリ２５Ａに記憶しＭＰＥＧ方式により圧縮されているビデオ信号のデコード処理を行う。デコードされたビデオ信号ＤＶ２は、ＮＴＳＣエンコーダ２７に供給され、ＮＴＳＣ方式の輝度信号（Ｙ）、クロマ信号（Ｃ）及びコンポジット信号に変換される。
【００１７】
ＭＰＥＧオーディオデコーダ２６は、デマルチプレクサ２４から供給されたディジタルオーオディオ信号ＤＡ１をＤＲＡＭ構成のメモリ２６Ａに記憶し、ＭＰＥＧオーディオ方式により圧縮されているディジタルオーディオ信号のデコード処理を行う。ＭＰＥＧオーディオデコーダ２６はデコードしたオーディオ信号ＤＡ２を、ディジタルアナログ変換器（Ｄ／Ａ）３０に送出することによりこれをアナログ信号に変換し、左（Ｌ）チャンネルのオーディオ信号及び右（Ｒ）チャンネルのオーディオ信号に分けて出力する。
【００１８】
このようにしてディジタル放送受信装置２において復号されたビデオ信号及びオーディオ信号は、外部に接続されたアナログビデオテープレコーダ（ＶＴＲ）６に供給され、必要に応じてビデオテープに記録される。
【００１９】
またデマルチプレクサ２４は、受信データとして各チャンネルの放送番組と共に所定のタイミングで配信される電子番組ガイド情報（ＥＰＧ：Electronic Program Guide) を抽出し、これをバッファメモリ１３に格納する。電子番組ガイド情報は、放送局から送信されるデータストリームに付加されたＳＩ(Service Information) と呼ばれるセクション形式のテーブル類に記述されており、ディジタル放送受信装置２はこのテーブルから必要な情報を抽出し画面上に表示する。また、かかるテーブル類の中には、チャンネル情報を表すＳＤＴ(Service Description Table) と、番組情報を表すＥＩＴ(Event Information Table) がある。このＳＤＴにはチャンネル番号、チャンネル名、チャンネル内容等が記述されている。また、ＥＩＴには番組名、番組開始時刻、あらすじ、ジャンル等が記述されている。
【００２０】
つまり、電子番組ガイド情報は、現在時刻から数十時間後までの各放送チャンネルの番組に関する情報（例えば、番組のチャンネル、放送時間、タイトル、ジヤンル、番組解説等）を含んでいる。また、この電子番組ガイド情報は、所定のタイミングで頻繁に配信されることにより、バッファメモリ１３には常に最新の情報が格納される。
【００２１】
ＣＰＵ２９はフラッシュメモリ３６に記憶されているプログラムに従って各種の処理を実行するようになされている。例えば、ユーザが数日後に放送される番組を自宅でタイマー録画予約をする場合、ユーザがディジタル放送受信装置にある操作パネル４０に設けられた録画予約設定キーを入力すると、ＣＰＵ２９は当該操作に応じて操作パネル４０から出力される命令信号ＣＯＮＴ４０に基づいて、バッファメモリ１３から最新の電子番組ガイド情報を読み出し、これをモニタ（図示せず）に表示する。ユーザは当該モニタに表示された電子番組ガイド情報を見ながら操作パネル４０の操作により所望の番組を指定すると、ＣＰＵ２９は当該番組を録画予約番組としてＲＡＭ３７に記憶する。
【００２２】
そして当該番組の受信が開始されると、ＣＰＵ２９は当該番組の選局を行ってビデオ信号及びオーディオ信号をアナログＶＴＲ６に供給する。そして同時にＣＰＵ２９は録画を開始するための制御信号ＣＯＮＴ７を赤外線発光部７に供給することにより、当該赤外線発光部７から制御信号ＣＯＮＴ７を重畳した赤外光がアナログＶＴＲ６の受光部（図示せず）に照射される。かくしてアナログＶＴＲ６は制御信号ＣＯＮＴ７に応じて電源を立ち上げると共に、ディジタル放送受信装置２から出力されるビデオ信号（Ｙ信号、Ｃ信号及びコンポジットビデオ信号）及びオーディオ信号を入力し、これをビデオテープに録画開始する。
【００２３】
このようにしてアナログＶＴＲ６に対して予約録画を開始したディジタル放送受信装置２のＣＰＵ２９は、当該番組が終了すると同時に、録画を停止させるための制御信号ＣＯＮＴ７をアナログＶＴＲ６に送出することにより、当該アナログＶＴＲ６は録画を停止し、電源を立ち下げる。かくしてＣＰＵ２９はユーザによって予約された番組を録画することができる。
【００２４】
因みに、ディジタル放送受信装置２にはユーザが操作する操作パネル４０と共に、ユーザによって操作されるリモートコマンダ５が設けられており、ユーザは当該リモートコマンダ５を操作することにより、当該操作に応じた命令信号が赤外光に重畳されてディジタル放送受信装置２の受光部３９に供給される。受光部３９は受光された赤外光に重畳されている命令信号ＣＯＮＴ３９を電気信号に変換し、これをＣＰＵ２９に送出するようになされている。従って、ユーザは操作パネル４０又はリモートコマンダ５のいずれによってもディジタル放送受信装置２を操作することができる。
【００２５】
また、ディジタル放送受信装置２は、デマルチプレクサ２４においてチャンネルごとに分離された復号前のディジタルビデオ信号ＤＶ１及び復号前のディジタルオーディオ信号ＤＡ１を、ＩＥＥＥ１３９４によって規定されたインターフェイス（データバス）５１を介して、圧縮符号化データのまま光磁気ディスク装置（ＭＤ：Mini Disc)５２、ディジタルＶＴＲ５３、ハードディスクレコーダ５４又はディジタルテレビジョン（ＴＶ）装置５５に送出するようになされている。
【００２６】
光磁気ディスク装置５２は、ＡＴＲＡＣ(Adaptive TRansform Acoustic coding)方式で圧縮符号化されたディジタルオーディオ信号を、圧縮符号化されたデータのまま直径２．５インチの光磁気ディスクに磁界変調方式で記録するようになされており、当該記録されたディジタルオーディオ信号を再生する場合、内部に設けられたオーディオデコーダによってディジタルオーディオ信号を復号し、これを出力端子（図示せず）から外部に出力する。
【００２７】
またディジタルＶＴＲ５３は、ＭＰＥＧ方式で圧縮符号化されたディジタルビデオ信号を、圧縮符号化されたデータのままビデオテープに記録するようになされている。当該記録されたビデオ信号を再生する場合は、再生されたＭＰＥＧデータをＩＥＥＥ１３９４によって規定されたインターフェイス（データバス）５１を介して、ディジタル放送受信装置２に出力し、ディジタル放送受信装置２の内部に設けられたＭＰＥＧデコーダによってデコードされモニタに表示される。
【００２８】
またハードディスクレコーダ５４は、各チャンネルのデータと共に配信されるゲームプログラム等のデータを入力し、これを記録するようになされている。
【００２９】
またディジタルＴＶ装置５５は、ＭＰＥＧ方式で圧縮符号化されたディジタルビデオ信号を、圧縮符号化されたデータのまま入力し、内部に設けられたＭＰＥＧデコーダによってこれを復号し、モニタに表示する。
【００３０】
ユーザはアナログＶＴＲ６に対して録画予約を指定する場合と同様にして、操作パネル４０又はリモートコマンダ３９を操作して光磁気ディスク装置５２、ディジタルＶＴＲ５３又はハードディスクレコーダ５４に対するデータの記録予約を行うことができる。ＣＰＵ２９はこれらの記録予約を受け付けると、番組の開始に従ってユーザによって指定されたいずれかの記録装置（光磁気ディスク装置５２、ディジタルＶＴＲ５３又はハードディスクレコーダ５４）にインターフェイス５１を介して制御信号ＣＯＮＴ５１を送出することにより、これらの装置を制御し記録を開始させる。
【００３１】
このようにして、ユーザは操作パネル４０又はリモートコマンダ３９を操作して各記録装置に対する記録予約をＣＰＵ２９に対して指定すると、ＣＰＵ２９はこれに応じて各記録装置に対する制御を実行する。
【００３２】
ここで、ディジタル放送受信装置２ではユーザが操作パネル４０又はリモートコマンダ５を操作することによってＣＰＵ２９に対して記録予約を指定する方法に加えて、電話インターフェイス（Ｉ／Ｆ）３４を介して公衆電話回線から入力される制御信号に基づいて各記録装置を制御し得るようになされている。
【００３３】
すなわち、ユーザは外出先から公衆電話回線を介してディジタル放送受信装置２のＣＰＵ２９に対して各記録装置（アナログＶＴＲ６、光磁気ディスク装置５２、ディジタルＶＴＲ５３又はハードディスクレコーダ５４）の記録予約を指定することができる。図２に示すように、ディジタル放送受信装置２の電話Ｉ／Ｆ部３４は、モデム８１を介して公衆電話回線網７０に接続されている。ユーザが外出先等で発呼手段である電話器６０によりディジタル放送受信装置２の電話Ｉ／Ｆ部３４を呼び出すと、電話Ｉ／Ｆ部３４は発呼信号Ｓ６０をモデム８１を介して受呼検出部８２に入力する。受呼検出部８２は発呼信号Ｓ６０を検出すると、これに応じて受呼検出信号ＣＯＮＴ８２をＣＰＵ２９に送出する。
【００３４】
ＣＰＵ２９は当該受呼検出信号ＣＯＮＴ８２を認識すると、回線接続制御信号ＣＯＮＴ８０をリレーで構成された閉結部ＳＷ８０に送出することにより閉結部ＳＷ８０を閉結し、これにより回線を接続する。
【００３５】
ユーザが電話器６０を操作することにより当該電話器６０から出力される制御信号（キー操作信号）は、モデム８１、ライントランス８８、受信増幅器８７を介してＤＴＭＦ（Dual Tone Multi Frequency)デコーダ８３に入力される。ＤＴＭＦデコーダ８３は、電話器６０から出力されるＤＴＭＦ信号を復号することによりディジタル信号Ｄ８３を得、これをＣＰＵ２９に送出する。
【００３６】
ＣＰＵ２９は、発呼側の電話器６０からのＤＴＭＦ信号（ディジタル信号Ｄ８３）を識別し、これにより外出先のユーザによって操作された電話器６０の操作ボタンの識別と、当該操作ボタンの操作の組合せによる特定の命令を解析する。
【００３７】
ＣＰＵ２９は発呼側の電話器６０から送信される命令に基づいて種々の処理を実行する共に当該命令に基づく応答情報ＣＯＮＴ８４を音声合成部８４に送出する。音声合成部８４はＣＰＵ２９から出力される応答情報ＣＯＮＴ８４に対応した音声データを予め内部メモリ（図示せず）に格納しており、このときＣＰＵ２９から出力される応答情報ＣＯＮＴ８４に応じた音声データを読み出し、これを音声合成することにより、応答情報ＣＯＮＴ８４に応じた音声信号Ｓ８４を生成する。
【００３８】
このようにして生成された音声信号Ｓ８４は、送信増幅器８６、ライントランス８８及びモデム８１を介して公衆電話回線網７０に出力され、このとき互いに回線接続されている電話器６０に送出される。
【００３９】
従って外出先で電話器６０を操作するユーザは、自宅に設置されているディジタル放送受信装置２のＣＰＵ２９から出力される応答情報を音声によって認識することができる。ここで、ユーザは電話器６０を操作することにより、ディジタル放送受信装置２に対して遠隔操作による録画予約を行うことができる。
【００４０】
すなわち、ユーザは電話器６０の操作ボタンを操作して、ディジタル放送受信装置２との間で回線を接続した後、さらに電話器６０の操作ボタンを操作して電話による録画予約を指定すると、ディジタル放送受信装置２のＣＰＵ２９は電話回線を介しての録画予約を実行する。
【００４１】
この場合、ＣＰＵ２９は先ず、ユーザが録画予約を指定することに応じて、録画予約を行う記録装置として、現在ディジタル放送受信装置２に接続されている記録装置（アナログＶＴＲ６、光磁気ディスク装置５２、ディジタルＶＴＲ５３又はハードディスクレコーダ５４）のうち、いずれの記録装置を録画予約対象とするかの問合せを電話Ｉ／Ｆ部３４の音声合成部８４を介して音声信号Ｓ８４に変換し、これを公衆電話回線網７０を介して電話器６０に送出する。かくしてＣＰＵ２９は記録対象についての問合せをユーザに対して音声によって行うことができる。
【００４２】
ユーザは当該音声による問合せに応じて電話器６０の操作ボタンを操作することにより、例えばアナログＶＴＲ６を指定する。ＣＰＵ２９は当該記録装置の指定を認識すると、これに続いてバッファメモリ１３（図１）内に格納されている最新の電子番組ガイド情報（ＥＰＧ）の内容を、応答情報ＣＯＮＴ８４として電話Ｉ／Ｆ部３４の音声合成部８４に供給する。
【００４３】
音声合成部８４は、ＣＰＵ２９から当該電子番組ガイド情報の内容を応答情報ＣＯＮＴ８４として受け取ると、応答情報ＣＯＮＴ８４に応じた音声信号Ｓ８４を合成し、これを公衆電話回線網７０を介してユーザが操作する電話器６０に送出する。例えば、音声合成部８４は、「バングミ」という文字情報を受け取ると、その情報を「バングミ」と発音する音声信号に変換する。因みに、電子番組ガイド情報（ＥＰＧ）は、各番組を表すデータとしてカタカナが割り当てられており、音声合成部８４は当該カタカナによって表される応答情報ＣＯＮＴ８４を音声に変換する。かくしてユーザは電話器６０の音声出力部を介して、自宅のディジタル放送受信装置２が有する電子番組ガイド情報を音声によって認識することができる。
【００４４】
そして、電話器６０を操作するユーザは、当該ディジタル放送受信装置２から送出された電子番組ガイド情報に基づいて、所望とする番組を表すコードを電話器６０の操作ボタンを操作することにより入力する。これにより当該コードデータは、電話器６０から公衆電話回線網７０及びディジタル放送受信装置２の電話Ｉ／Ｆ部３４を介してＣＰＵ２９に入力される。ＣＰＵ２９は当該コードデータに基づいてユーザが希望した番組の開始時刻をバッファメモリ１３に記憶されている電子番組ガイド情報から読み出し、当該時刻を内部タイマに設定する。
【００４５】
上記のユーザとディジタル放送受信装置２との間のやりとりを図３において説明すると、まず、ユーザが外からディジタル放送受信装置２に対して電話をする。電話を受けたディジタル放送受信装置側は、メニュー音声ガイダンスをユーザ側に発信し、ユーザは所望のメニュー番号、例えば録画予約に対応する１番を入力する。次にディジタル放送受信装置側は、どの記録装置に記録をするのかユーザに問い合わせ、ユーザは所望の記録装置番号、例えばディジタルＶＴＲに対応する１番を入力する。次にディジタル放送受信装置側は、録画予約したい番組の放送開始時間をユーザに問い合わせ、ユーザは日付、時間を入力する。例えば、１９９９年２月１日１４時３０分から録画を開始したい場合は、１９９９０２０１１４３０と入力する。次にディジタル放送受信装置側は、どのチャンネルを録画予約したいのかユーザに問い合わせ、ユーザは所望のチャンネル番号を入力し、ディジタル放送受信装置側は、選択された番組名をユーザ側に音声ガイダンスし、本録画予約を有効にするか否かの確認を行う。ユーザ側は、よければＹＥＳに対応する番号を入力し、本録画予約をキャンセルしたい場合はＮＯに対応する番号を入力する。以上の操作により録画予約が完了すると、最後にディジタル放送受信装置側は設定完了メッセージをユーザ側に発信する。
【００４６】
これによりＣＰＵ２９はユーザが指定した番組が開始されると、赤外線発光部７を介してアナログＶＴＲ６の電源を立ち上げると共に録画開始状態に制御し、当該アナログＶＴＲ６に対してユーザが録画予約した番組を選局してそのビデオ信号及びオーディオ信号を供給する。かくしてアナログＶＴＲ６は、ユーザが指定した番組を録画することができる。
【００４７】
因みに、ユーザが指定した番組の開始時刻が変更になった場合、当該変更情報は直ちに新たな電子番組ガイド情報として放送局から各ディジタル放送受信装置２に配信されディジタル放送受信装置２のバッファメモリ１３に格納されている電子番組ガイド情報が更新されるので、ＣＰＵ２９は当該新たな番組開始時刻に基づいて内部タイマを設定変更することにより、変更後の番組開始時刻になるとアナログＶＴＲ６への録画を開始することができる。
【００４８】
かくしてＣＰＵ２９はアナログＶＴＲ６に対して指定された番組の録画を実行させ、当該番組が終了すると同時にアナログＶＴＲ６を記録停止させると共に電源を立ち下げ、これにより予約録画を終了する。因みに、番組の終了は当該番組のデータとして受信されるデータストリームの一部に当該番組を表す識別コードが付加されており、ＣＰＵ２９はこの識別コードを解析することにより番組の終了を認識することができる。
【００４９】
また、当該番組の終了は電子番組ガイド情報としてバッファメモリ１３に格納されていることにより、ＣＰＵ２９は当該電子番組ガイド情報に基づいて番組の終了時刻を認識することができ、これによってアナログＶＴＲ６を記録停止とすることもできる。
【００５０】
また、これに対してユーザが電話器６０を操作することによって光磁気ディスク装置５２、ディジタルＶＴＲ５３又はハードディスクレコーダ５４のいずれかを記録対象として予約すると、ＣＰＵ２９はこれに応じてユーザによって指定された装置（光磁気ディスク装置５２、ディジタルＶＴＲ５３又はハードディスクレコーダ５４）のいずれかを予約記録の対象として認識する。従って、このときユーザによって指定された番組が開始すると、ＣＰＵ２９はインターフェイス５１を介して、このとき指定された記録装置の電源を立ち上げると共に、当該記録装置に対してユーザが指定した番組のデータを符号化されたままの状態で供給し、これを当該記録装置に記録させる。
【００５１】
また、ユーザは電話器６０に設けられている出力端子６０Ａにコンピユータ構成の携帯端末機９０を接続することにより、ディジタル放送受信装置２のＣＰＵ２９から出力される電子番組ガイド情報等、種々のサービス情報Ｄ２９Ａを公衆電話回線網７０及び電話器６０を介して携帯端末装置９０に入力することができる。因みに、携帯端末装置９０を電話器６０に接続すると、公衆電話回線網７０から供給される信号は、電話器６０を通過して携帯端末装置９０に入力されるようになされている。
【００５２】
従って、例えば外出先で携帯端末装置９０を操作するユーザが、携帯端末装置９０の入力操作部９０Ｂを操作することによってディジタル放送受信装置２に対する録画予約を指定すると、携帯端末装置９０からユーザによって入力された命令信号Ｄ２９Ｂが公衆電話回線網７０及び電話Ｉ／Ｆ部３４のモデム８１を介してＣＰＵ２９に送出される。
【００５３】
これによりＣＰＵ２９はバッファメモリ１３に格納されている最新の電子番組ガイド情報を読み出し、これを電話Ｉ／Ｆ部３４のモデム８１及び公衆電話回線網７０を介してユーザ側の電話器６０に接続された携帯端末装置９０に供給する。この結果、携帯端末装置９０のモニタ９０Ａには、例えば図４に示すような電子番組ガイド情報ＥＰＧが表示され、ユーザは当該モニタ９０Ａに表示された電子番組ガイド情報を見ながら、所望とする番組を携帯端末装置９０の入力操作部９０Ｂを操作することによって指定する。この操作として例えばモニタ９０Ａに表示された複数番組を表す電子番組ガイド情報ＥＰＧと共にカーソルを表示し、ユーザは入力操作部９０Ｂを操作することによってカーソルを所望とする番組欄に合わせ、当該番組を指定するといった手法が用いられる。指定された番組欄は他の番組欄とは異なる明るさ（又は色）の表示形態に切り換わり、これによりユーザは指定された番組をモニタ上で容易に把握することができる。
【００５４】
また、番組の指定と共にユーザは携帯端末装置９０の入力操作部９０Ｂを操作することによって記録対象となる装置を指定する。この実施の形態の場合、図１について上述したように、ディジタル放送受信装置２には複数の記録再生装置（アナログＶＴＲ６、光磁気ディスク装置５２、ディジタルＶＴＲ５３及びハードディスクレコーダ５４）が接続されており、ユーザはＣＰＵ２９からの問合せに応じて携帯端末装置９０の入力操作部９０Ｂを操作することにより、いずれかの装置を記録対象として指定する。
【００５５】
上記のユーザとディジタル放送受信装置２との間のやりとりを図５において説明すると、まず、ユーザが外からディジタル放送受信装置に対して電話をする。電話を受けてディジタル放送受信装置側は、メニューデータをユーザ側の携帯端末装置に発信し、ユーザはメニュー画面から所望のメニューを選択する。例えば、ＥＰＧ画面要求というメニューを選択する。ＥＰＧ画面要求を受けたディジタル放送受信装置側は、ユーザ側の携帯端末装置にＥＰＧデータを送出しＥＰＧ画面を表示させる。ユーザは携帯端末装置のＥＰＧ画面を見ながら、録画予約をしたい番組、記録対象装置等を選択し、所定の録画予約データをディジタル放送受信装置側に送出し、録画予約を設定する。ディジタル放送受信装置側は、予約設定された番組データ等を携帯端末装置に送出し、本録画予約を有効にするか否かの確認を行う。ユーザ側は、よければＹＥＳ、本録画予約をキャンセルしたい場合はＮＯに対応するメッセージを送信する。以上の操作により録画予約が完了すると、最後にディジタル放送受信装置側は設定完了メッセージをユーザ側の携帯端末装置に発信する。
【００５６】
かくしてＣＰＵ２９は外出先において携帯端末装置９０を介してユーザが指定した記録装置及び番組について、録画予約を行うことができ、指定された番組が開始されると、このとき記録対象である装置の電源を立ち上げると共に、録画（記録）を開始する。これによりユーザが外出先において携帯端末装置９０を操作することにより、ディジタル放送受信装置２に対して容易に記録予約を行うことができる。
【００５７】
以上の構成において、ユーザが外出先から公衆電話回線網７０を介して、ディジタル放送受信装置２に対して録画（記録）予約を行うと、ディジタル放送受信装置２は当該録画（記録）予約によって指定された番組の開始と共に、当該番組の選局を行うと共に、記録対象としてユーザによって指定された記録装置（アナログＶＴＲ６、光磁気ディスク装置５２、ディジタルＶＴＲ５３又はハードディスクレコーダ５４）に対して録画（記録）開始を指示する。
【００５８】
このようにユーザがディジタル放送受信装置２に対して（録画）記録予約を行うと、当該ディジタル放送受信装置２は、このときユーザによって指定された記録対象である装置（アナログＶＴＲ６、光磁気ディスク装置５２、ディジタルＶＴＲ５３又はハードディスクレコーダ５４）に対して番組の開始と共に録画（記録）を開始させる制御を行う。
【００５９】
かくして以上の構成によれば、ユーザは公衆電話回線網７０を介してディジタル放送受信装置２を遠隔操作することができ、これによりディジタル放送受信装置２に対して録画（記録）予約等の制御を容易に行うことができる。また、ディジタル放送受信装置２は、当該ディジタル放送受信装置２に接続された複数の装置（アナログＶＴＲ６、光磁気ディスク装置５２、ディジタルＶＴＲ５３又はハードディスクレコーダ５４等）を制御することができ、これによりユーザは公衆電話回線網７０を介してディジタル放送受信装置２を遠隔操作することにより、ディジタル放送受信装置２に接続された各装置を遠隔地から容易に制御することができる。
【００６０】
なお上述の実施の形態においては、公衆電話回線網７０を介してディジタル放送受信装置２を遠隔操作する場合について述べたが、本発明はこれに限らず、例えば公衆電話回線網７０としてＩＳＤＮ(Integrated Services Digital Network) を用いるようにしても良い。このようにすれば、種々の制御データを一段と高速で伝送することができる。
【００６１】
また上述の実施の形態においては、電話等を使って外部からの番組録画予約の設定を行う場合について述べたが、本発明はこれに限らず、例えば、ディジタル放送受信装置に所定の時間になると自動的に設定された番組が始まる番組開始予約等の設定を行うこともできる。
【００６２】
また上述の実施の形態において、ディジタル放送受信装置側での録画予約等の設定を行う場合について述べたが、本発明はこれに限らず、例えば、電話器６０からの制御信号を直接記録装置側に赤外線信号を送信し、記録装置側で録画予約等の設定を行ってもよい。さらに、赤外線信号の代わりにＩＥＥＥ１３９４によって規定されたインターフェイス（データバス）５１を用いて記録装置側で録画予約等の制御を行ってもよい。
【００６３】
また上述の実施の形態においては、ユーザが電話器６０に接続された携帯端末装置９０を使ってディジタル放送受信装置２の録画予約等の操作を行う場合について述べたが、本発明はこれに限らず、例えば、図６のようにユーザが表示部１０１を有する携帯電話器１００からディジタル放送受信装置２の録画予約等の操作を行い、携帯電話器１００の表示部に表示されたＥＰＧを見ながら録画予約等の設定を行うようにしてもよい。
【００６４】
また上述の実施の形態においては、ＭＰＥＧ方式で圧縮されたビデオ信号を受信するディジタル放送受信装置２に本発明を適用したが、本発明はこれに限らず、他の種々の方式で圧縮符号化されたデータを受信する装置に広く適用することができる。
【００６５】
また上述の実施の形態においては、通信衛星３を介して各種の情報を放送する衛星放送システムのディジタル放送受信装置２に本発明を適用する場合について述べたが、本発明はこれに限らず、例えば地上波によって各種の情報を放送するシステムのディジタル放送受信装置においても本発明を適用することができる。
【図面の簡単な説明】
【００６６】
【図１】本発明によるディジタル放送受信装置の構成を示すブロック図である。
【図２】本発明によるディジタル放送受信装置の電話インターフェイス部の構成を示すブロック図である。
【図３】音声ガイダンスの処理手順を示すフローチャートである。
【図４】携帯端末装置のモニタに表示される電子番組ガイド情報の表示例を示す略線図である。
【図５】ＰＤＡ(Personal DigitalAssistance) ガイダンスの処理手順を示すフローチャートである。
【図６】携帯電話器に表示されるＥＰＧ画面を示す斜視図である。
【符号の説明】
【００６７】
２……ディジタル放送受信装置、３……パラボラアンテナ、６……アナログビデオテープレコーダ、７……赤外線発光部、２０……フロントエンド、２４……デマルチプレクサ、２５……ビデオデコーダ、２６……オーディオデコーダ、２９……中央処理装置（ＣＰＵ）、３４……電話インターフェイス部、５１……データバス、５２……光磁気ディスク装置、５３……ディジタルビデオテープレコーダ、５４……ハードディスクレコーダ、５５……ディジタルテレビジョン装置、６０……電話器、８１……変復調装置（モデム）、８４……音声合成部、９０……携帯端末装置、１００……携帯電話器。
【図１】
0004433332.tif 000002
【図２】
0004433332.tif 000003
【図３】
0004433332.tif 000004
【図４】
0004433332.tif 000005
【図５】
0004433332.tif 000006
【図６】
0004433332.tif 000007